(57)【要約】      （修正有）【課題】信号端子とスイッチ端子の共平面性をコントロールしやすくし、且つ部品の管理と保守コストをおさえ、実際に製造と使用の費用対効果を向上させるカードコネクタを提供する。【解決手段】カードコネクタ１は、絶縁フレーム１０、信号端子２０、スイッチ端子３０、および回路基板４０、を含み、絶縁フレーム１０は、上部カバー１０１を含む。上部カバー１０１および回路基板４０は、電子カードを挿入するためのスロットを一緒に形成する。信号端子２０とスイッチ端子３０は、モジュール一体化されて一つのボード本体２５に統合され、ＳＭＴ技術で回路基板４０のゴールドフィンガー４０２と接続して統合される。【選択図】図３
0003233359.tif 000002
【実用新案登録請求の範囲】
【請求項１】
カードコネクタは下記内容を含む：
スロットが設けられた絶縁フレーム。
信号端子は、スロットと絶縁フレームの範囲内に配置されている。
スイッチ端子は、信号端子に隣接し、スロットと絶縁フレームの範囲内に配置されている。また、回路基板は信号端子とスイッチ端子に接続されており、その特徴は、信号端子とスイッチ端子がモジュール一体化されて一つのボード本体に統合され、回路基板に接続されることである。
【請求項２】
特許出願範囲の請求項１に記載されているカードコネクタは、絶縁フレームには少なくとも上部カバーがあり、上部カバーと回路基板は両方アセンブリしてスロットが構成される。且つ、上部カバーの下端周りには複数の固定脚が設けられており、回路基板には関連する埋め込み位置決め穴が設けられている。固定脚が位置決め穴に埋め込まれているため、回路基板に取り付けられて、絶縁フレーム本体が安定に固定し、組み立てられる。
【請求項３】
特許出願範囲の請求項１に記載されているカードコネクタは、絶縁フレームには少なくとも上部カバーがあり、上部カバーと回路基板は両方アセンブリしてスロットが構成される。上部カバーにはネジ穴があり、回路基板はネジ穴に対して位置決め穴を設け、ネジ穴を貫通するために長いボルトを使用し、位置決め穴を一体的にロックする。
【請求項４】
特許出願範囲の請求項１に記載されているカードコネクタは、信号端子とスイッチ端子はＳＭＴ（表面実装技術）またはピンタイプを利用して回路基板に接続する。
【請求項５】
カードコネクタは下記内容を含む：
絶縁フレーム、絶縁フレームには上部カバーと下部カバーがあり、上部カバーと下部カバーは両方アセンブリしてスロットが構成される。且つ、下部カバーにはスロットと連絡する開口部が設けられる。信号端子とスイッチ端子はモジュール一体化され、１つのボード本体に統合されている。また、ボード本体は開口部に関連する、及び、回路基板には信号端子とスイッチ端子に接続された導電性ピンなどが設けられている。信号端子とスイッチ端子との通信接続を提供する。
【請求項６】
特許出願範囲の請求項５に記載されているカードコネクタは、開口部の輪郭はボード本体と相当の形状、組み立て後にボード本体を開口部にぴったり近づけ、信号端子とスイッチ端子をスロットの中に配置することができる。挿入された電子カードが通信接触効果を提供する。
【請求項７】
特許出願範囲の請求項５に記載されているカードコネクタは、下部カバーの下端周りには複数の固定脚があり、回路基板には下部カバーの複数の固定脚に対応して位置決め穴が設けられている。回路基板は固定脚で位置決め穴に埋め込まれ、それにより絶縁フレームが回路基板にしっかりと取り付けられる。
【請求項８】
特許出願範囲の請求項５に記載されているカードコネクタの信号端子とスイッチ端子はＳＭＴ（表面実装技術）またはピンタイプを利用して回路基板に接続する。
【考案の詳細な説明】
【技術分野】
【０００１】本考案は、カードコネクタに関し、特に信号端子とスイッチ端子がモジュール一体化されて一つのボード本体に統合され、部品の共面度をコントロールしやすくなり及び点数管理減に役立つ。
【先行技術】
【０００２】カードコネクタは、主に電子カード内の情報を送信するために使用され、その適用対象は多数ある。本考案に関するカードコネクタの構造には第一図に示すように、主に次のものが含まれる。スロットを備えた絶縁フレーム、スロットと絶縁フレームに囲まれた範囲に配置された信号端子およびスイッチ端子、そして信号端子とスイッチ端子に接続された回路基板である。スイッチ端子は、電子カードをスロットに挿入することによって起動し、信号端子を電子カード内の情報を送信することができる。
但し、従来のカードコネクタの信号端子（第一図Ａ）５０とスイッチ端子６０はＳＭＴ技術（Ｓｕｒｆａｃｅ  Ｍｏｕｎｔ  Ｔｅｃｈｎｏｌｏｇｙ）で回路基板に別々に固定されており、部品点数が多く、管理コストも高くなる。ＳＭＴ加工を行う際には、１個ずつ部品を置く必要があり、手間のかかるプロセスに加えて、それぞれの部品と回路基板の間の共平面性をコントロールする難しさがあった。
前述の問題を解決するため、その他の従来のカードコネクタ（第一図Ｂ）より、絶縁フレーム７０’内で信号端子５０’’とスイッチ端子６０’を統合して一体化し、回路基板上に端子ピンを挿すタイプ（Ｔｈｒｏｕｇｈ  Ｈｏｌｅｓ）またはＳＭＴ（Ｓｕｒｆａｃｅ  Ｍｏｕｎｔ  Ｔｅｃｈｎｏｌｏｇｙ）を使用、或いはネジ止めタイプ等、様々な固定方法があるが、そうすれば、管理コストを削減することができ、また、共平面性をコントロールする問題も解決することができるが、一旦、信号端子またはスイッチ端子が壊れた場合は、絶縁フレーム全体を廃棄しなくてはならないという課題もある。
【０００３】上記を考慮して、本件の考案者は、関連産業における長年の経験に基づいて本件考案の開発をした。
【課題を解決するための手段】
【０００４】即ち、本件考案のカードコネクタの考案目的は、信号端子とスイッチ端子の共平面性をコントロールしやすくし、且つ部品の管理と保守コストをおさえ、実際に製造と使用の費用対効果を向上させるソリューションを提供することである。
【０００５】上記の目的を達成するため、本考案のカードコネクタは、以下を含む：スロットを備えた絶縁フレーム、及びスロットと絶縁フレームに囲まれた範囲内に配置された信号端子およびスイッチ端子。そして信号端子とスイッチ端子に接続された回路基板である。本考案の特徴は、信号端子とスイッチ端子がモジュール一体化されて一つのボード本体に統合されており、回路基板に接続されることである。
【０００６】上記の特徴に基づいて、絶縁フレームの下周りが複数の固定脚を備えている。
回路基板には相対的位置決め穴があり、固定脚が位置決め穴に埋め込まれる。
回路基板に取り付けられているによって、絶縁フレーム本体が安定に固定される。
【０００７】上記の特徴により、信号端子とスイッチ端子は、ＳＭＴ（Ｓｕｒｆａｃｅ  Ｍｏｕｎｔ  Ｔｅｃｈｎｏｌｏｇｙ）または端子ピンタイプを使用して回路基板と電気的に接続される。
【技術分野】
【図面の簡単な説明】
【０００８】
【図１】第一図Ａ、Ｂは、従来のカードコネクタの平面図であり、信号端子とスイッチ端子はそれぞれ独立した部品として示されている。また、カードコネクタの絶縁フレーム上に一体で形成されている。
【図２】第二図は、本考案により、カードコネクタの信号端子とスイッチ端子がモジュール一体化されて一つのボード本体に統合された平面図を示す。
【図３】第三図は、本考案により、カードコネクタの信号端子とスイッチ端子がモジュール一体化されて、１つのボード本体に統合された。応用において上部カバー付きの絶縁フレームの３次元分解図に適用される。
【図４】第四図は、本考案により、カードコネクタの信号端子とスイッチ端子がモジュール一体化されて、１つのボード本体に統合された。応用において上、下カバーを備えた絶縁フレームの３次元分解図に適用される。
【考案を実施するための形態】
【０００９】最初の第二図を参照。本件考案のカードコネクタの信号端子２０とスイッチ端子
３０が一つのボード本体２５に統合され、図の通り、本件考案のカードコネクタの信号端子２０には、８ピンの伝送用ピン（実施によって１０ピン、６ピン、４ピンなどが可能）と２ピンのスイッチ端子３０（実施によって様々な形のスイッチ端子にすることが可能）がモジュール一体化されて、１つのボード本体２５に統合され、それにより部品の共平面度をコントロールしやすくなり、且つ、部品の管理点数を減らし、保守のコストが低減する。
【００１０】続いて、第３の図を参照。本件考案カードコネクタ  １  は、絶縁フレーム１０、信号端子２０、スイッチ端子３０、および回路基板４０、その中に、絶縁フレーム１０は、上部カバー１０１を含む。上部カバー１０１および回路基板４０は、電子カードを挿入するためのスロット（図示せず）を一緒に形成する。本考案により、この信号端子２０とスイッチ端子３０は、第２図に示すようにモジュール一体化されて一つのボード本体２５に統合され、ＳＭＴ技術で回路基板４０のゴールドフィンガー４１０、４０２と接続して統合される。（信号端子とスイッチ端子もピンタイプで回路基板と接続することが可能）。
【００１１】上記の構造を組み合わせた後、本件考案のカードコネクタ  １  は信号端子２０およびスイッチ端子３０がモジュール一体化されて一つのボード本体２５に統合され、次いで回路ボード４０への接続をする。部品の共平面度をコントロールしやすくし、且つ、部品の管理点数減らし、保守のコストが低減され、実際に製造と使用の費用対効果を高める。
【００１２】引き続き第４図を参照。本件考案のカードコネクタ  １’は、以下を含む：絶縁フレーム１０’、信号端子２０’、スイッチ端子３０’、回路基板４０’、絶縁フレーム１０’は上部カバー１０１’と下部カバー１０２’で構成され、上部カバー１０１’と下部カバー１０２’は一緒にスロット１０４’構成し、電子カードを挿入するために使用することができる。下部カバー１０２’は、スロット１０４’と連絡する開口部１０５’が設けられる。開口部１０５’の輪郭はボード本体２５’に対応し、ボード本体２５’に対して、組み立て後、信号端子２０’とスイッチ端子３０’はスロット１０４’の中に配置され、挿入された電子カード通信接触効果を得られる。さらに、下部カバー１０２’の下部両側には、それぞれ固定用脚１０３’’が付いている。回路基板４０’の位置決め穴４１’に埋め込みをするために使用され、絶縁フレーム本体１０’が回路基板４０’にしっかりと組み立てられます。（実際の実施方法についてネジ止め方法も使える）。本考案により、信号端子２０’とスイッチ端子３０’はモジュール一体化され、ボード本体２５’に統合され、ＳＭＴ技術で回路基板４０’のゴールドフィンガー４０１’、４０２’と両方に接続される。本考案は上記の構造により、組み合わせの後、カードコネクタ  １’は、信号端子２０’とスイッチ端子３０’によってモジュール一体化されてボード本体２５’に統合される。次に、ＳＭＴ技術で回路基板４０’に接続する。これにより、同一平面上で共平面度をコントロールしやすくなり、且つ、部品の管理点数を減らし、保守のコストが低減し、実際に製造と使用に対して費用対効果を高める。
【００１３】以上をまとめると、本件考案のカードコネクタは、実際に開発の目的を達成し、特許の要件を満たすことができる。但し、上記の内容により、本件考案はよい実施形態を挙げたにすぎない。一般に、本件考案に行われる様々な修正および変化は、まだこの特許出願の範囲に含まれるべきである。
【符号の説明】
【００１４】カードコネクタ１、１’
絶縁フレーム１０、１０’
信号端子２０、２０’
スイッチ端子３０、３０’
回路基板４０、４０’
上部カバー１０１、１０１’
下部カバー１０２、１０２’
固定用脚１０３’
スロット１０４’
位置決め穴４１’
ゴールドフィンガー４０１’、４０２’
ボード本体２５、２５’
【図１】
0003233359.tif 000003
【図２】
0003233359.tif 000004
【図３】
0003233359.tif 000005
【図４】
0003233359.tif 000006
【手続補正書】
【提出日】令和3年1月27日(2021.1.27)
【手続補正１】
【補正対象書類名】実用新案登録請求の範囲
【補正対象項目名】全文
【補正方法】変更
【補正の内容】
【実用新案登録請求の範囲】
【請求項１】
カードコネクタは下記内容を含む：
スロットが設けられた絶縁フレーム；
信号端子は、スロットと絶縁フレームの範囲内に配置されている；
スイッチ端子は、信号端子に隣接し、スロットと絶縁フレームの範囲内に配置されている；また、回路基板は信号端子とスイッチ端子に接続されており、その要点は、信号端子とスイッチ端子がモジュール一体化されて一つのボード本体に統合され、回路基板に接続されるカードコネクタ。
【請求項２】
特許出願範囲の請求項１に記載されているカードコネクタは、絶縁フレームには少なくとも上部カバーがあり、上部カバーと回路基板は両方アセンブリしてスロットが構成される；且つ、上部カバーの下端周りには複数の固定脚が設けられており、回路基板には関連する埋め込み位置決め穴が設けられている；固定脚が位置決め穴に埋め込まれているため、回路基板に取り付けられて、絶縁フレーム本体が安定に固定し、組み立てられるカードコネクタ。
【請求項３】
特許出願範囲の請求項１に記載されているカードコネクタは、絶縁フレームには少なくとも上部カバーがあり、上部カバーと回路基板は両方アセンブリしてスロットが構成される；上部カバーにはネジ穴があり、回路基板はネジ穴に対して位置決め穴を設け、ネジ穴を貫通するために長いボルトを使用し、位置決め穴を一体的にロックするカードコネクタ。
【請求項４】
特許出願範囲の請求項１に記載されているカードコネクタは、信号端子とスイッチ端子は表面実装技術、またはピンタイプを利用して回路基板に接続するカードコネクタ。
【請求項５】
カードコネクタは下記内容を含む：
絶縁フレーム、絶縁フレームには上部カバーと下部カバーがあり、上部カバーと下部カバーは両方アセンブリしてスロットが構成される；且つ、下部カバーにはスロットと連絡する開口部が設けられる；信号端子とスイッチ端子はモジュール一体化され、１つのボード本体に統合されている；また、ボード本体は開口部に関連する、及び、回路基板には信号端子とスイッチ端子に接続された導電性ピンのような接触構造が設けられている；信号端子とスイッチ端子との通信接続を提供するカードコネクタ。
【請求項６】
特許出願範囲の請求項５に記載されているカードコネクタは、開口部の輪郭はボード本体と相当の形状、組み立て後にボード本体を開口部にぴったり近づけ、信号端子とスイッチ端子をスロットの中に配置することができる；挿入された電子カードが通信接触効果を提供するカードコネクタ。
【請求項７】
特許出願範囲の請求項５に記載されているカードコネクタは、下部カバーの下端周りには複数の固定脚があり、回路基板には下部カバーの複数の固定脚に対応して位置決め穴が設けられている；回路基板は固定脚で位置決め穴に埋め込まれ、それにより絶縁フレームが回路基板にしっかりと取り付けられるカードコネクタ。
【請求項８】
特許出願範囲の請求項５に記載されているカードコネクタの信号端子とスイッチ端子は表面実装技術またはピンタイプを利用して回路基板に接続するカードコネクタ。
【手続補正２】
【補正対象書類名】明細書
【補正対象項目名】全文
【補正方法】変更
【補正の内容】
【考案の詳細な説明】
【技術分野】
【０００１】本考案は、カードコネクタに関し、特に信号端子とスイッチ端子がモジュール一体化されて一つのボード本体に統合され、部品の共面度をコントロールしやすくなり及び点数管理減に役立つ。
【先行技術】
【０００２】カードコネクタは、主に電子カード内の情報を送信するために使用され、その適用対象は多数ある；本考案に関するカードコネクタの構造には第一図に示すように、主に次のものが含まれる；スロットを備えた絶縁フレーム、スロットと絶縁フレームに囲まれた範囲に配置された信号端子およびスイッチ端子、そして信号端子とスイッチ端子に接続された回路基板である；スイッチ端子は、電子カードをスロットに挿入することによって起動し、信号端子を電子カード内の情報を送信することができる。
但し、従来のカードコネクタの信号端子、第一図Ａに参照する、５０とスイッチ端子６０は表面実装技術で回路基板に別々に固定されており、部品点数が多く、管理コストも高；表面実装技術加工を行う際には、１個ずつ部品を置く必要があり、手間のかかるプロセスに加えて、それぞれの部品と回路基板の間の共平面性をコントロールする難しさがあった。
前述の問題を解決するため、その他の従来のカードコネクタ、第一図Ｂにより、絶縁フレーム７０’内で信号端子５０’とスイッチ端子６０’を統合して一体化し、回路基板上に端子ピンを挿すタイプＴｈｒｏｕｇｈ  Ｈｏｌｅｓまたは表面実装技術を使用、或いはネジ止めタイプのような様々な固定方法がある、そうすれば、管理コストを削減することができ、また、共平面性をコントロールする問題も解決することができるが、一旦、信号端子またはスイッチ端子が壊れた場合は、絶縁フレーム全体を廃棄しなくてはならないという課題もある。
【０００３】上記を考慮して、本件の考案者は、関連産業における長年の経験に基づいて本件考案の開発をした。
【課題を解決するための手段】
【０００４】即ち、本件考案のカードコネクタの考案目的は、信号端子とスイッチ端子の共平面性をコントロールしやすくし、且つ部品の管理と保守コストをおさえ、実際に製造と使用の費用対効果を向上させるソリューションを提供するカードコネクタである。
【０００５】上記の目的を達成するため、本考案のカードコネクタは、以下を含む：スロットを備えた絶縁フレーム、及びスロットと絶縁フレームに囲まれた範囲内に配置された信号端子およびスイッチ端子；そして信号端子とスイッチ端子に接続された回路基板である；本考案の要点は、信号端子とスイッチ端子がモジュール一体化されて一つのボード本体に統合されており、回路基板に接続されるカードコネクタである。
【０００６】上記の要点に基づいて、絶縁フレームの下周りが複数の固定脚を備えている；回路基板には相対的位置決め穴があり、固定脚が位置決め穴に埋め込まれる；回路基板に取り付けられているによって、絶縁フレーム本体が安定に固定されるカードコネクタである。
【０００７】上記の要点により、信号端子とスイッチ端子は、表面実装技術、または端子ンタイプを使用して回路基板と電気的に接続されるカードコネクタである。
【技術分野】
【図面の簡単な説明】
【０００８】
【図１】Ａ、Ｂは、従来のカードコネクタの平面図であり、信号端子とスイッチ端子はそれぞれ独立した部品として示されている。また、カードコネクタの絶縁フレーム上に一体で形成されているカードコネクタである。
【図２】本考案により、カードコネクタの信号端子とスイッチ端子がモジュール一体化されて一つのボード本体に統合された平面図を示す。
【図３】本考案により、カードコネクタの信号端子とスイッチ端子がモジュール一体化されて、１つのボード本体に統合された；応用において上部カバー付きの絶縁フレームの３次元分解図に適用される。
【図４】本考案により、カードコネクタの信号端子とスイッチ端子がモジュール一体化されて、１つのボード本体に統合された。応用において上、下カバーを備えた絶縁フレームの３次元分解図に適用される。
【考案を実施するための形態】
【０００９】最初の第二図を参照。本件考案のカードコネクタの信号端子２０とスイッチ端子３０が一つのボード本体２５に統合され、図の通り、本件考案のカードコネクタの信号端子２０には、８ピンの伝送用ピン、実施によって１０ピン、６ピン、４ピンでも可能、と２ピンのスイッチ端子３０、実施によって様々な形のスイッチ端子にすることが可能、がモジュール一体化されて、１つのボード本体２５に統合され、それにより部品の共平面度をコントロールしやすくなり、且つ、部品の管理点数を減らし、保守のコストが低減する。
【００１０】続いて、第３の図を参照。本件考案カードコネクタ１は、絶縁フレーム１０、信号端子２０、スイッチ端子３０、および回路基板４０、その中に、絶縁フレーム１０は、上部カバー１０１を含む；上部カバー１０１および回路基板４０は、電子カードを挿入するためのスロット、図示せず、を一緒に形成する；本考案により、この信号端子２０とスイッチ端子３０は、第２図に示すようにモジュール一体化されて一つのボード本体２５に統合され、表面実装技術で回路基板４０のゴールドフィンガー４１０、４０２と接続して統合される；信号端子とスイッチ端子もピンタイプで回路基板と接続することも可能にする。
【００１１】上記の構造を組み合わせた後、本件考案のカードコネクタ１は信号端子２０およびスイッチ端子３０がモジュール一体化されて一つのボード本体２５に統合され、次いで回路ボード４０への接続をする；部品の共平面度をコントロールしやすくし、且つ、部品の管理点数減らし、保守のコストが低減され、実際に製造と使用の費用対効果を高める。
【００１２】引き続き第４図を参照。本件考案のカードコネクタ１’は、以下を含む：絶縁フレーム１０’、信号端子２０’、スイッチ端子３０’、回路基板４０’、絶縁フレーム１０’は上部カバー１０１’と下部カバー１０２’で構成され、上部カバー１０１’と下部カバー１０２’は一緒にスロット１０４’構成し、電子カードを挿入するために使用することができる；下部カバー１０２’は、スロット１０４’と連絡する開口部１０５’が設けられる；開口部１０５’の輪郭はボード本体２５’に対応し、ボード本体２５’に対して、組み立て後、信号端子２０’とスイッチ端子３０’はスロット１０４’の中に配置され、挿入された電子カード通信接触効果を得られる。さらに、下部カバー１０２’の下部両側には、それぞれ固定用脚１０３’が付いている。回路基板４０’の位置決め穴４１’に埋め込みをするために使用され、絶縁フレーム本体１０’が回路基板４０’にしっかりと組み立てられる；実際の実施方法についてネジ止め方法も使える；本考案により、信号端子２０’とスイッチ端子３０’はモジュール一体化され、ボード本体２５’に統合され、表面実装技術で回路基板４０’のゴールドフィンガー４０１’、４０２’と両方に接続される。本考案は上記の構造により、組み合わせの後、カードコネクタ１’は、信号端子２０’とスイッチ端子３０’によってモジュール一体化されてボード本体２５’に統合される。次に、表面実装技術で回路基板４０’に接続する。これにより、同一平面上で共平面度をコントロールしやすくなり、且つ、部品の管理点数を減らし、保守のコストが低減し、実際に製造と使用に対して費用対効果を高める。
【００１３】以上をまとめると、本件考案のカードコネクタは、実際に開発の目的を達成し、特許の要件を満たすことができる；但し、上記の内容により、本件考案はよい実施形態を挙げたにすぎない；一般に、本件考案に行われる様々な修正および変化は、まだこの特許出願の範囲に含まれるべきである。
【符号の説明】
【００１４】カードコネクタ１、１’              下部カバー１０２、１０２’
絶縁フレーム１０、１０’            固定用脚１０３’
信号端子２０、２０’                スロット１０４’
スイッチ端子３０、３０’            位置決め穴４１’
回路基板４０、４０’                ゴールドフィンガー４０１’、４０２’
上部カバー１０１、１０１’          ボード本体２５、２５’
【手続補正書】
【提出日】令和3年4月21日(2021.4.21)
【手続補正１】
【補正対象書類名】実用新案登録請求の範囲
【補正対象項目名】全文
【補正方法】変更
【補正の内容】
【実用新案登録請求の範囲】
【請求項１】
カードコネクタは下記内容を含む：
スロットが設けられた絶縁フレーム；
信号端子は、スロットと絶縁フレームの範囲内に配置されている；
スイッチ端子は、信号端子に隣接し、スロットと絶縁フレームの範囲内に配置されている；  また、回路基板は信号端子とスイッチ端子に接続されており、その要点は、信号端子とスイッチ端子がモジュール一体化されて一つのボード本体に統合され、回路基板に接続されるカードコネクタ。
【請求項２】
請求項１に記載されているカードコネクタは、絶縁フレームには少なくとも上部カバーがあり、上部カバーと回路基板は両方アセンブリしてスロットが構成される；且つ、上部カバーの下端周りには複数の固定脚が設けられており、回路基板には関連する埋め込み位置決め穴が設けられている；固定脚が位置決め穴に埋め込まれているため、回路基板に取り付けられて、絶縁フレーム本体が安定に固定し、組み立てられるカードコネクタ。
【請求項３】
請求項１に記載されているカードコネクタは、絶縁フレームには少なくとも上部カバーがあり、上部カバーと回路基板は両方アセンブリしてスロットが構成される；上部カバーにはネジ穴があり、回路基板はネジ穴に対して位置決め穴を設け、ネジ穴を貫通するために長いボルトを使用し、位置決め穴を一体的にロックするカードコネクタ。
【請求項４】
請求項１に記載されているカードコネクタは、信号端子とスイッチ端子は表面実装技術、またはピンタイプを利用して回路基板に接続するカードコネクタ。
【請求項５】
カードコネクタは下記内容を含む：
絶縁フレーム、絶縁フレームには上部カバーと下部カバーがあり、上部カバーと下部カバーは両方アセンブリしてスロットが構成される；且つ、下部カバーにはスロットと連絡する開口部が設けられる；信号端子とスイッチ端子はモジュール一体化され、１つのボード本体に統合されている；また、ボード本体は開口部に関連する、及び、回路基板には信号端子とスイッチ端子に接続された導電性ピンのような接触構造が設けられている；信号端子とスイッチ端子との通信接続を提供するカードコネクタ。
【請求項６】
請求項５に記載されているカードコネクタは、開口部の輪郭はボード本体と相当の形状、組み立て後にボード本体を開口部にぴったり近づけ、信号端子とスイッチ端子をスロットの中に配置することができる；挿入された電子カードが通信接触効果を提供するカードコネクタ。
【請求項７】
請求項５に記載されているカードコネクタは、下部カバーの下端周りには複数の固定脚があり、回路基板には下部カバーの複数の固定脚に対応して位置決め穴が設けられている；回路基板は固定脚で位置決め穴に埋め込まれ、それにより絶縁フレームが回路基板にしっかりと取り付けられるカードコネクタ。
【請求項８】
請求項５に記載されているカードコネクタの信号端子とスイッチ端子は表面実装技術またはピンタイプを利用して回路基板に接続するカードコネクタ。
【手続補正２】
【補正対象書類名】明細書
【補正対象項目名】００１３
【補正方法】変更
【補正の内容】
【００１３】  以上をまとめると、本件考案のカードコネクタは、実際に開発の目的を達成し、実用新案の要件を満たすことができる；但し、上記の内容により、本件考案はよい実施形態を挙げたにすぎない；一般に、本件考案に行われる様々な修正および変化は、まだこの実用新案登録請求の範囲に含まれるべきである。